(57)【要約】【課題】外箱と中枠が別体で使い易く、中枠は小さい面積の中枠形成片を二つ折りして簡単に作られ、確実に収容物を保護し、収容物を保持した状態で外箱から収容物とともに簡単に取り出すことができる中枠と中枠付き包装用箱を提供する。【解決手段】外箱１２とは別体に設けられ、収容物１１を保持して、外箱１２の開口から入れられて収容される。中枠形成片１６は、一対の側面１８，２０と、側面１８，２０を区切る使用状態で略垂直となる折罫線２２を有する。側面１８，２０には、折罫線２２に対して交差する切断線３２が設けられ、切断線３２から下は収容物１１の底部を保持する保持片３６となる。一対の側面１８，２０は、折罫線２２と反対側の端部が互いに糊付けされて収容物１１を収容する空間を形成し、空間の下方には、一対の側面１８，２０を区切る折罫線２２の方向に、一対の側面１８，２０から延長した保持片を備える。【選択図】図１
2019167134.tif 000002
【特許請求の範囲】
【請求項１】
外箱とは別体に設けられ、収容物を保持して前記外箱の開口から入れられて収容される中枠であって、
中枠形成片からなり、前記中枠形成片には一対の側面と、前記一対の側面を区切る使用状態で略垂直となる折罫線が設けられ、前記側面には、前記折罫線に対して交差する切断線が設けられ、前記切断線から下は前記収容物の底部を保持する保持片となり、
前記一対の側面は前記折罫線と反対側の端部が互いに糊付けされて前記収容物を収容する空間を形成し、
前記空間の下方には、前記一対の側面を区切る前記折罫線の方向に前記一対の側面が延びた部分の前記中枠形成片により形成された前記保持片を備えることを特徴とする中枠。
【請求項２】
前記保持片には、複数個の折曲線が前記切断線に交差して設けられ、前記一対の側面は互いに離れるように外側に湾曲して内側に平面視で紡錘形の前記空間が作られ、前記保持片は前記折曲線で前記空間の内側に向かって折り曲げられて平面視で前記空間の内側に位置している請求項１記載の中枠。
【請求項３】
前記一対の側面には、前記保持片が各々設けられ、前記保持片の一部が互いに糊付けされて２重構造となり、前記保持片には前記折曲線が２個設けられ、平面視でＹ字形となる請求項１記載の中枠。
【請求項４】
前記中枠には、前記外箱から前記中枠を引き上げる際に保持する摘み部が形成され、前記摘み部の基端部には摘み部用折罫線が設けられている請求項１記載の中枠。
【請求項５】
外箱と中枠が別体であり、前記外箱は上方が開口する有底筒状であり、前記中枠は、前記収容物を保持して前記外箱の開口から入れられて収容され、
前記中枠は中枠形成片からなり、前記中枠形成片には一対の側面と、前記一対の側面を区切る使用状態で略垂直となる折罫線が設けられ、前記側面には、前記折罫線に対して交差する切断線が設けられ、前記切断線から下は前記収容物の底部を保持する保持片となり、
前記一対の側面は前記折罫線と反対側の端部が互いに糊付けされて前記収容物を収容する空間を形成し、
前記空間の下方には、前記一対の側面を区切る前記折罫線の方向に前記一対の側面が延びた部分の前記中枠形成片により形成された前記保持片が組み立てられることを特徴とする中枠付き包装用箱。
【発明の詳細な説明】
【技術分野】
【０００１】
この発明は、外箱に収容される中枠と、外箱の中に入れられて収容物を保持する中枠が設けられた中枠付き包装用箱に関する。
【背景技術】
【０００２】
従来、ブランクシートから一体的に打ち抜かれた箱体形成片を折り曲げて糊付けして形成する包装用箱には、箱体の内側にガラス瓶等の衝撃に弱い収容物を保持するための緩衝用の仕切り片が設けられているものがある。例えば、特許文献１の緩衝機能付き包装用箱の場合、箱体の内側に挿入される中枠が設けられ、中枠には商品を挟む一対の側面と、前記一対の側面の前記商品に対向する部分に形成された窓部と、前記窓部に貼られて前記商品に密着する伸縮性フィルムが設けられている。中枠は、一対の側面の両側縁部が箱体内で、対角の角部に嵌合するように収容される実施形態が開示されている。
【０００３】
また、特許文献２記載の緩衝機能付き包装体及びこれを用いた包装箱は、台紙に一列に連接された第一の側面板、第二の側面板及び支持板が、互いに平行な主折罫線で区切られて、中枠である包装体が形成されている。支持板の内側は、主折罫線と平行な副折罫線によって両端部の第一及び第二の糊付け部と、中央部の収容物支持部とに区切られている。包装体は、主折罫線が折り曲げられて３つの板が順に重なり、第一の糊付け部が第一の側面板に、第二の糊付け部が第二の側面板に各々糊付けされ、第一及び第二の側面板を外向きに湾曲させる操作により、収容物支持部が第一及び第二の側面板と交差する位置に移動し、収容物支持部の上方に収容空間が形成される。
【先行技術文献】
【特許文献】
【０００４】
【特許文献１】特開２０１４−５０５４号公報
【特許文献２】実用新案登録第３２１２１３３号公報
【発明の概要】
【発明が解決しようとする課題】
【０００５】
上記特許文献１の場合、中枠に伸縮性フィルムを貼る工程が必要で、製造及び組立工数及びコストがかかるものである。また特許文献２の場合は、第一の側面板、第二の側面板及び支持板の、３枚の部材からなり、面積が大きく、ブランクシートから打ち抜いて得る数が少ないものである。
【０００６】
一方、抗がん剤等の薬液の包装について、薬剤の暴露を防ぎ、薬剤を扱う作業者の安全面も考慮した緩衝機能付き包装材が考えられている。例えば、薬剤を入れたバイアルを収容する樹脂製の成形品を設け、成形品とともにバイアルを箱体に収容して包装し、薬剤を使用する時は、バイアルに直接触れずに成形品を保持して箱体から取り出すものである。取り出した後は、成形品が作業台の上に自立し、バイアルを立たせておき、成形品を保持しながらバイアルの中の薬液を注射器に移す作業をすることができる。これにより、作業者に薬液が付くことを防ぎ、安全性を高めることができる。
【０００７】
しかし、成形品では金型代のコストがかかるという問題がある。従って、暴露をできるだけ防いで安全性を高め、取り扱い性が良く、コストも抑えることができる包装形態が求められている。
【０００８】
この発明は、上記背景技術の問題点に鑑みてなされたものであり、外箱と中枠が別体で使い易いものであり、中枠は小さい面積の中枠形成片を二つ折りして簡単に作られ、確実に収容物を保護し、収容物を保持した状態で外箱から収容物とともに簡単に取り出すことができる中枠と中枠付き包装用箱を提供することを目的とする。
【課題を解決するための手段】
【０００９】
本発明は、外箱とは別体に設けられ、収容物を保持して、外箱の開口から入れられて収容される中枠である。前記中枠は中枠形成片からなり、前記中枠形成片には一対の側面と、前記一対の側面を区切る使用状態で略垂直となる折罫線が設けられ、前記側面には、前記折罫線に対して交差する切断線が設けられ、前記切断線から下は前記収容物の底部を保持する保持片となる。前記一対の側面は前記折罫線と反対側の端部が互いに糊付けされて前記収容物を収容する空間を形成し、前記空間の下方には、前記一対の側面を区切る前記折罫線の方向に、前記一対の側面が延びた部分の前記中枠形成片により形成された前記保持片を備える。
【００１０】
また、前記保持片には、複数個の折曲線が前記切断線に交差して設けられ、前記一対の側面は互いに離れるように外側に湾曲して内側に前記収容物を収容する空間が作られ、前記保持片は前記折曲線で前記空間の内側に向かって折り曲げられて平面視で前記空間の内側に位置している。
【００１１】
前記一対の側面には、前記保持片が各々設けられ、前記保持片の一部が糊付けされて２重構造となり、強度が高い。前記保持片には前記折曲線が２個設けられ、平面視でＹ字形となる。
【００１２】
前記中枠には、前記外箱から前記中枠を引き上げる際に保持する摘み部が形成され、前記摘み部の基端部には折罫線が設けられ、前記外箱に収容されている時は前記折罫線で折り曲げられて前記収容物の上面を覆う。
【００１３】
また、前記中枠の前記側面の使用状態で略水平となる一方の長さは、前記外箱の対角線より僅かに長く、前記中枠は、前記収容物により前記一対の側面が互いに離れるように外側に湾曲した状態で入れることが可能であり、対角線上に位置する一対の角部の間に隙間なく収容される。
【００１４】
また本発明は、外箱と中枠が別体であり、前記外箱は上方が開口する有底筒状であり、前記中枠は、前記収容物を保持して前記外箱の開口から入れられて収容され、前記中枠は中枠形成片からなり、前記中枠形成片には一対の側面と、前記一対の側面を区切る使用状態で略垂直となる折罫線が設けられ、前記側面には、前記折罫線に対して交差する切断線が設けられ、前記切断線から下は前記収容物の底部を保持する保持片となり、前記一対の側面は前記折罫線と反対側の端部が互いに糊付けされて前記収容物を収容する空間を形成し、前記空間の下方には、前記一対の側面を区切る前記折罫線の方向に前記一対の側面が延びた部分の前記中枠形成片により形成された前記保持片が組み立てられる中枠付き包装用箱である。
【発明の効果】
【００１５】
本発明の中枠と中枠付き包装用箱は、外箱と中枠が別体で使い易いものであり、中枠は小さい面積の中枠形成片を二つ折りして簡単に作られ、確実に収容物を保護し、収容物を保持した状態で外箱から収容物とともに簡単に取り出すことができる。
【図面の簡単な説明】
【００１６】
【図１】この発明の第一実施形態の中枠付き包装用箱の斜視図（ａ）と平面図（ｂ）である。
【図２】この発明の第一実施形態の中枠付き包装用箱の包装が完了した状態を示す斜視図である。
【図３】この発明の第一実施形態の中枠付き包装用箱の中枠の展開図である。
【図４】この発明の第二実施形態の中枠付き包装用箱の中枠の展開図である。
【図５】この発明の第三実施形態の中枠付き包装用箱の中枠の展開図である。
【図６】この発明の第四実施形態の中枠付き包装用箱の中枠の展開図である。
【図７】この発明の第四実施形態の中枠付き包装用箱の中枠の折り畳み状態の斜視図（ａ）と収容物を収容する空間を開いた状態の斜視図（ｂ）である。
【発明を実施するための形態】
【００１７】
以下、この発明の実施形態について図面に基づいて説明する。図１〜図３はこの発明の第一実施形態を示すもので、この実施形態の中枠付き包装用箱１０は、厚紙等の一枚のブランクシートを打ち抜いて形成された外箱形成片を組み立てて作られた外箱１２と、外箱１２の中に入れられて収容物１１を保持する中枠１４が設けられている。
【００１８】
ここで、中枠１４について説明する。中枠１４は、外箱１２と同様に厚紙等の一枚のブランクシートを打ち抜いて形成された中枠形成片１６を組み立てて形成されている。図３は、中枠形成片１６を表面から見た展開図であり、一方向に長い矩形の側面１８と、側面１８の長い一側縁部に隣接し側面１８よりも小さい矩形の側面２０が折罫線２２で区切られて設けられている。側面２０は、側面１８との連接方向の長さは側面１８とほぼ同じであり、連接方向に交差する長さは側面１８よりも短い。側面２０の、折罫線２２と反対側の側縁部には、側面１８の表面に糊付けされる糊付片２４が折罫線２６で区切られて設けられている。
【００１９】
側面１８の、折罫線２２に交差し使用状態で上方に位置する上端部１８ａは、側面１８の、折罫線２２に直交する中央付近の幅より少し短いものであり、側面１８の、一対の側縁部は、上端部１８ａに繋がる部分が、上端部１８ａに近づくにつれて互いに近づくような傾斜部１８ｂとなっている。これは外箱１２の後述する差込片７０にぶつからない為の逃がしとなる。上端部１８ａの中心には、上端部１８ａから略直角に上方へ突出する舌片状の摘み部２８が形成され、摘み部２８の基端部には、側面１８の中央に向かって湾曲する摘み部用折罫線３０が設けられている。
【００２０】
側面１８の、上端部１８ａと反対側で下方に位置する下端部１８ｃに近い位置には、切断線であるスリット部３２が切り欠かれて設けられている。スリット部３２は、折罫線２２が設けられた側縁部に連通し、スリット部３２の反対側の先端部３２ａは側面１８の幅の中心をわずかに超えて折罫線２２と反対側の側縁部１８ｄの近傍に達している。スリット部３２の長手方向は折罫線２２に対して略直角である。スリット部３２の上側の縁部と、折罫線２２が交差する部分は、面取りされて傾斜部２２ａとなり、外箱１２に挿入する際の逃がしとなる。側面１８の、下端部１８ｃと側縁部１８ｄが交差する部分も、面取りされて傾斜部１８ｅとなり、外箱１２に挿入する際の逃がしとなる。
【００２１】
また、側面１８には、スリット部３２の先端部３２ａと、下端部１８ｃを結ぶ折曲線３４が設けられ、折曲線３４は、スリット部３２の長手方向および下端部１８ｃに対して略直角である。スリット部３２と、折曲線３４、下端部１８ｃで囲まれた部分は保持片３６である。保持片３６は、折罫線２２の方向に側面１８が延びた部分により形成され、下端部１８ｃに沿って長い帯状であり、保持片３６の、折曲線３４と反対側の先端部３６ａは、折罫線２２の延長線に達しない長さであり、折曲線３４及び折罫線２２に対して略平行な直線で形成されている。保持片３６の先端部３６ａの、下端部１８ｃと反対側の部分、つまりスリット部３２の下側の側縁部には、スリット部３２の内側に向かって突出する突起３８が設けられている。保持片３６の長手方向の中心付近には、折曲線３４に対して略平行な折曲線４０が設けられ、折曲線４０は、保持片３６の幅の全長にわたって、スリット部３２と下端部１８ｃに連通している。
【００２２】
側面２０は、側面１８に折罫線２２を介して連続し、側面１８の上端部１８ａに近い方の上端部２０ａは、折罫線２２に対して略直角に位置する直線であり、端部１８ａの延長線よりも端部１８ｃに近い位置にあり、折罫線２２の端部に連続している。上端部２０ａの中心には、側面２０の中央に向って湾曲して窪む凹部４２が形成されている。側面２０の、上端部２０ａと反対側の下端部２０ｂは、側面１８の端部１８ｃの延長線上に位置する直線である。上端部２０ａと下端部２０ｂの間には、折罫線２２を挟んで、スリット部３２、保持片３６と線対称となるスリット部４４、保持片４６が設けられている。保持片４６も、折罫線２２の方向に側面２０が延びた部分により形成され、スリット部４４と折罫線２２が交差する部分は、傾斜部２２ａと線対称形状の傾斜部２２ｂとなる。保持片４６には、折曲線３４，４０、突起３８と線対称形状の、折曲線４８，５０、突起５２が設けられている。折罫線２６と端部２０ｂが交差する部分は、面取りされて傾斜部２０ｃとなり、外箱１２に挿入する際の逃がしとなる。なお、一対の保持片３６，４６は、先端部３６ａ，４６ａ同士の間が離間している。
【００２３】
糊付片２４の、側面２０の上端部２０ａに連続する上端部２４ａは、上端部２０ａの延長線上に位置する直線である。上端部２４ａと反対側の下端部２４ｂは、下端部２０ｂよりも糊付片２４の中央に近く、傾斜部２０ｃの端部に連続する直線である。
【００２４】
なお、上述の各折罫線、各折曲線は、折り曲げやすいように破断線で設けられてもよい。
【００２５】
次に、中枠１４の組立方法の一例について説明する。なお、ここでは図３が中枠１４の中枠形成片１６の表面を見たものであり、中枠形成片１６の表面が凸になる折り方を正折り、そして裏面が凸になる折り方を逆折りと称する。
【００２６】
まず、保持片４６の、折曲線５０と先端部４６ａの間の部分に、裏面に糊５４を塗布する。糊付片２４の裏面にも糊５６を折罫線２６に沿って長く塗布する。次に、折罫線２２を正折りして保持片４６の裏面を保持片３６の裏面に糊付けする。そして、折罫線２６を正折りして糊付片２４の裏面を側面１８の表面に糊付けする。中枠形成片１６は、折り畳み状態となり、中枠１４はこの折り畳み状態で出荷される。
【００２７】
次に、収容物１１を収容し包装する工場等において、折罫線２２と折罫線２６を近づけるように力を加え、折り畳まれて重ねられた側面１８，２０を、互いに離れるように外側に湾曲させて、内側に平面視で図１（ｂ）に示すように紡錘形の空間を作る。この時、保持片３６，４６は側面１８，２０に引かれて互いに離れるが、先端部３６ａ，４６ａ付近が糊５４で接着されているため、折曲線３４，４８は正折りされ、折曲線４０，５０は逆折りされ、平面視で図１（ｂ）に示すようにＹ字形となり、側面１８，２０の間の空間の下方で、下端部１８ｃ，２０ｂに沿って組み立てられる。
【００２８】
次に、側面１８，２０の間の空間に、上端部１８ａ，２０ａから収容物１１を入れる。収容物１１は、例えば液体の薬剤が入れられたバイアルである。収容物１１の側周面は、側面１８，２０の弾性力で側面１８，２０に両側から押されて挟持される。収容物１１の底面は、Ｙ字形に組み立てられた保持片３６，４６に当接し保持される。なお、保持片３６，４６の突起３８，５２が収容物１１の底面の側方に位置し、側面１８，２０の間の紡錘形の空間の、長手方向への移動を抑え、安定させる。
【００２９】
収容物１１を入れた中枠１４は、外箱１２に入れて包装する。ここで、外箱１２について説明する。外箱１２は、４つの側面５８，６０，６２，６４が互いに平行に連接されて設けられ、糊付片で糊付けされて四角筒状に組み立てられている。筒体の下方の開口端部は底蓋片６６で閉鎖され、箱体として保形性を維持している。側面５８の上方の端部には、上蓋片６８が折罫線で区切られて設けられている。上蓋片６８の側面５８と反対側の端部には、さらに差込片７０が折罫線で区切られて設けられている。側面５８に対して直角に位置する側面６０，６４の上方の端部には、矩形の上フラップ７２が折罫線で区切られて設けられている。なお、４つの側面５８，６０，６２，６４の形状は互いに同じであり、側面どうしの連接方向よりも連接方向に交差する方向が長い矩形であり、組み立てられた四角筒状の内側空間は、中枠１４の、側面１８の下端部１８ｃと上端部１８ａまでの長さよりも僅かに深く、対角線の長さは、側面１８の折罫線２２から折罫線２２と反対側の側縁部１８ｄまでの長さよりも少し短いものである。
【００３０】
収容物１１の包装に際して、図１に示すように、側面５８，６０，６２，６４と、底蓋片６６を組み立てた外箱１２の中に、収容物１１を保持した中枠１４を入れる。この時、中枠１４の側面１８，２０が、外箱１２の四角筒状の内側空間の、深さ方向に対して交差する対角線に沿ってセットする。外箱１２の内側空間の対角線は、側面１８の折罫線２２から側縁部１８ｄまでの長さよりも少し短いため、収容物１１により側面１８，２０が互いに離れるように外側に湾曲させた状態で入れることが可能であり、対角線上に位置する一対の角部の間に隙間なく収容される。側面１８，２０の下端部１８ｃ，２０ｂは底蓋片６６に当接し、保持片３６，保持片４６は底蓋片６６に沿ってＹ字形に設置される。側面１８の上端部１８ａは、外箱１２の上方の開口端部よりも少し低い位置にあり、中枠１４の摘み部２８は、外箱１２の開口端部を超えて上方に突出する。
【００３１】
次に、中枠１４の摘み部２８を摘み部用折罫線３０で正折りする。摘み部用折罫線３０は湾曲しているため、湾曲された側面１８に沿って、略９０°に正折りすることができる。そして、摘み部２８の上から、外箱１２の一対の上フラップ７２を折罫線で正折りし、その後、上蓋片６８を折罫線で正折りし、さらに差込片７０を折罫線で正折りし、側面１８の内側に差し込み、閉鎖して、図２に示すように中枠付き包装用箱１０の包装が完了する。収容物１１は、外箱１２の側面５８，６０，６２，６４と、底蓋片６６から離れて緩衝的に保持され、外箱１２に安全に収容される。
【００３２】
中枠付き包装用箱１０に収容された収容物１１の薬剤を使用する時は、上蓋片６８を引き上げて開封する。そして一対の上フラップ７２を開き、中枠１４の摘み部２８を引き起こし、摘み部２８を保持して上方に引き上げる。
【００３３】
この実施形態の中枠付き包装用箱１０と中枠１４によれば、外箱１２と中枠１４が別体で使い易いものであり、中枠１４は側面１８，２０からなるシンプルな構造の中枠形成片１６を組み立てて簡単に作られ、製造効率が良好である。中枠形成片１６は、側面１８，２０からなり面積が小さいため、一枚のブランクシートから多数の中枠形成片１６を打ち抜いて設けることができ、効率よく得ることができる。中枠１４は、側面１８，２０からなる小さい面積でありながら、側面１８，２０の下端部１８ｃ，下端部２０ｂに連続する部分から保持片３６，４６を引き起こして立体形状にし、収容物１１を確実に支えることができる。収容物１１を外箱１２の側面５８，６０，６２，６４、底蓋片６６から離間して保持することができ、外から受ける衝撃や振動が伝わることが無く安全に保管と運搬を行うことができる。側面１８，２０は撓んで収容物１１に接するため、弾性的に保持することができる。保持片３６，４６は、一部が互いに糊付けされて２重構造となり、強度が高く、外から衝撃が加えられても安全である。一対の保持片３６，４６は、中枠１４に収容物１１を入れる際に側面１８，２０が互いに離れる方へ湾曲する時に自動的に側面１８，２０から引き起こされ、組み立て工程が不要である。保持片３６，４６は、平面視でＹ字形であり、収容物１１の底部を確実に保持し、また突起３８，５２が設けられているため、収容物１１がずれることがなく安定する。傾斜部１８ｅ，２０ｃ，２２ａ，２２ｂは、外箱１２に挿入する際の逃がしとなり、中枠１４を外箱１２に入れる際に引っ掛からず、円滑に入れることができる。傾斜部１８ｂは、外箱１２の差込片７０を側面６２の内側に入れる際の逃がしとなり、円滑に差込片７０を差し込んで上蓋片６８を閉めることができる。側面２０の上端部２０ａは、側面１８の上端部１８ａよりも低い位置に設けられ、また凹部４２が設けられているため、収容物１１を容易に側面１８と側面２０の間に収容することができる。
【００３４】
次にこの発明の第二実施形態について図４に基づいて説明する。なお、ここで、上記実施形態と同様の部材は同様の符号を付して説明を省略する。この実施形態の中枠付き包装用箱７４は、上記実施形態と同様の外箱１２と、外箱１２の中に入れられて収容物１１を保持する中枠７６が設けられている。
【００３５】
中枠７６は、外箱１２と同様に厚紙等の一枚のブランクシートを打ち抜いて形成された中枠形成片７８を組み立てて形成されている。図４は、中枠形成片７８を表面から見た展開図であり、側面１８と側面２０が折罫線２２で区切られて設けられている。側面２０の、折罫線２２と反対側の側縁部には、側面１８の表面に糊付けされる糊付片２４が折罫線２６で区切られて設けられている。
【００３６】
側面１８の上端部１８ａには、摘み部２８が摘み部用折罫線３０で区切られて設けられている。側面１８の、下端部１８ｃに近い位置には、切断線８０が設けられている。切断線８０は折罫線２２が設けられた側縁部に連通し、折罫線２２から離れるにつれて下端部１８ｃに近づくように傾斜し、途中で折り曲げられて下端部１８ｃに対して平行となるへの字である。切断線８０の、折罫線２２と反対側の先端部８０ａは、側面１８の幅の中心をわずかに超えて側縁部１８ｄの近傍に達し、上端部１８ａに向かって小さい直径の半円形状に湾曲する形状となる。切断線８０の途中には、切り残し部８１が設けられている。
【００３７】
また、切断線８０の先端部８０ａと、下端部１８ｃを結ぶ折曲線８２が設けられ、折曲線８２は、切断線８０および下端部１８ｃに対して略直角である。切断線８０と、折曲線８２、下端部１８ｃで囲まれた部分は保持片８４である。保持片８４は、折罫線２２の方向に側面１８が延びた部分により形成され、下端部１８ｃに沿って長い帯状であり、保持片８４の、折曲線８２と反対側の先端部８４ａは、折罫線２２の延長線に達する長さであり、折曲線８２及び折罫線２２に対して平行な直線で形成されている。保持片８４の先端部８４ａの、切断線８０側の部分は、切断線８０の傾斜した部分に沿って上端部１８ａに向かって突出する突起８６が設けられている。突起８６の突出する先端部付近は、切断線８０から離れて隙間が生じている。保持片８４の先端部８４ａの、下端部１８ｃ側の部分は、角部が面取りされて傾斜部８８となり、外箱１２に挿入する際の逃がしとなる。保持片８４の長手方向の中心付近には、折曲線８２に対して略平行な折曲線９０が設けられ、折曲線９０は、保持片８４の幅の全長にわたって、切断線８０と下端部１８ｃに連通している。
【００３８】
側面２０は、上端部２０ａは、端部１８ａの延長線よりも端部１８ｃに近い位置にある直線であり、下端部２０ｂは、側面１８の端部１８ｃの延長線上に位置する直線である。側面２０の、上端部２０ａと下端部２０ｂの間には、折罫線２２を挟んで、切断線８０、保持片８４と線対称となる切断線９２、保持片９４が設けられている。保持片９４も、折罫線２２の方向に側面２０が延びた部分により形成され、切断線９２の途中には、切り残し部９３が設けられている。保持片９４の先端部９４ａは、折罫線２２の延長線上で保持片８４の先端部８４ａに連続し、折罫線９６で区切られている。先端部９４ａの、下端部２０ｂ側の部分は、角部が面取りされて、傾斜部８８と線対称形状の傾斜部９８となる。保持片９４には、折曲線８２，９０、突起８６と線対称形状の、折曲線１００，１０２、突起１０４が設けられている。
【００３９】
次に、中枠７６の組立方法の一例について説明する。なお、ここでは図４が中枠７６の中枠形成片７８の表面を見たものであり、中枠形成片７８の表面が凸になる折り方を正折り、そして裏面が凸になる折り方を逆折りと称する。
【００４０】
まず、保持片９４の、折曲線１０２と先端部９４ａの間の部分に、裏面に糊５４を塗布する。糊付片２４の裏面にも糊５６を折罫線２６に沿って長く塗布する。次に、折罫線２２を正折りして保持片９４の裏面を保持片８４の裏面に糊付けする。そして、折罫線２６を正折りして糊付片２４の裏面を側面１８の表面に糊付けする。中枠形成片７８は、折り畳み状態となり、中枠７６はこの折り畳み状態で出荷される。
【００４１】
次に、収容物１１を収容し包装する工場等において、折罫線２２と折罫線２６を近づけるように力を加え、側面１８，２０を互いに離れるように外側に湾曲させて内側に平面視で紡錘形の空間を作る。この時、保持片８４，９４は、側面１８，２０に引かれて互いに離れるが、先端部８４ａ，９４ａ付近が糊５４で接着されているため、折曲線８２，１００は正折りされ、折曲線９０，１０２は逆折りされ、上記実施形態と同様に、平面視でＹ字形となり、側面１８，２０の間の空間の下方で、下端部１８ｃ，２０ｂに沿って組み立てられる。保持片８４，９４が側面１８，２０から引き起こされる際に、切断線８０，９２の切り残し部８１，９３は破断する。次に、側面１８，２０の間の空間に、上端部１８ａ，２０ａから収容物１１を入れる。収容物１１の底面は、Ｙ字形に組み立てられた保持片８４，９４に当接し保持される。なお、保持片８４，保持片９４の突起８６，１０４が、収容物１１の底面の側方に位置し、安定する。
【００４２】
収容物１１を入れた中枠７６は、外箱１２に入れて包装する。傾斜部１８ｅ，２０ｃ，８８，９８，は、外箱１２に挿入する際の逃がしとなり、円滑に入れることができる。
【００４３】
この実施形態の中枠付き包装用箱７４と中枠７６によれば、中枠付き包装用箱１０と同様の使用方法であり、同様の効果を有するものである。保持片８４，９４同士が連続し、また保持片８４，９４は側面１８，２０を区切る切断線８０，９２に切り残し部８１，９３が設けられて連続するため、中枠形成片７８が他の部材または同形状の中枠形成片７８に絡まることがなく、生産時の安定を図り、取り扱いが容易である。
【００４４】
次にこの発明の第三実施形態について図５に基づいて説明する。なお、ここで、上記実施形態と同様の部材は同様の符号を付して説明を省略する。この実施形態の中枠付き包装用箱１０６は、上記実施形態と同様の外箱１２と、外箱１２の中に入れられて収容物１１を保持する中枠１０８が設けられている。
【００４５】
中枠１０８は、外箱１２と同様に厚紙等の一枚のブランクシートを打ち抜いて形成された中枠形成片１１０を組み立てて形成されている。図５は、中枠形成片１１０を表面から見た展開図であり、側面１８と側面２０が折罫線２２で区切られて設けられている。側面２０の、折罫線２２と反対側の側縁部には、側面１８の表面に糊付けされる糊付片２４が折罫線２６で区切られて設けられている。側面１８には切断線と保持片は設けられていない。側面１８の下端部１８ｃの、折罫線２２側の角部は面取りされて傾斜部８８となり、外箱１２に挿入する際の逃がしとなる。
【００４６】
側面２０は、下端部２０ｂに近い位置に、切断線１１２が設けられている。切断線１１２は折罫線２２が設けられた側縁部に連通し下端部２０ｂに対して略平行な直線である。切断線１１２の、折罫線２２と反対側の先端部１１２ａは側面２０の幅の中心をわずかに超えて折罫線２６の近傍に達し、上端部２０ａに向かって小さい直径の半円形状に湾曲する形状となる。切断線１１２の途中には、切り残し部１１４が設けられている。
【００４７】
また、切断線１１２の先端部１１２ａと、下端部２０ｂを結ぶ折曲線１１６が設けられ、折曲線１１６は、切断線１１２および下端部２０ｂに対して略直角である。切断線１１２と、折曲線１１６、下端部２０ｂで囲まれた部分は保持片１１８である。保持片１１８は、折罫線２２の方向に側面２０が延びた部分により形成され、下端部２０ｂに沿って長い帯状であり、保持片１１８の、折罫線２２側の先端部１１８ａは、折曲線１２０を介して側面１８に連続している。つまり折曲線１２０は、折罫線２２に連続している。保持片１１８の先端部１１８ａの、下端部２０ｂ側の部分は、角部が面取りされて傾斜部９８となり、外箱１２に挿入する際の逃がしとなる。保持片１１８の長手方向の中心よりも先端部１１８ａに近い位置には、折曲線１１６に対して略平行な折曲線１２２が設けられ、折曲線１２２は、保持片１１８の幅の全長にわたって、切断線１１２と下端部２０ｂに連通している。
【００４８】
次に、中枠１０８の組立方法の一例について説明する。なお、ここでは図５が中枠１０８の中枠形成片１１０の表面を見たものであり、中枠形成片１１０の表面が凸になる折り方を正折り、そして裏面が凸になる折り方を逆折りと称する。
【００４９】
まず、保持片１１８の、折曲線１２２と先端部１１８ａの間の部分に、裏面に糊５４を塗布する。糊付片２４の裏面にも糊５６を折罫線２６に沿って長く塗布する。次に、折罫線２２を正折りして保持片１１８の裏面を側面１８の裏面に糊付けする。そして、折罫線２６を正折りして糊付片２４の裏面を側面１８の表面に糊付けする。中枠形成片１１０は、折り畳み状態となり、中枠１０８はこの折り畳み状態で出荷される。
【００５０】
次に、収容物１１を収容し包装する工場等において、折罫線２２と折罫線２６を近づけるように力を加え、側面１８，２０を互いに離れるように外側に湾曲させて内側に平面視で紡錘形の空間を作る。この時、保持片１１８は、側面２０に引かれて側面１８から離れるが、先端部１１８ａ付近が糊５４で側面１８に接着されているため、折曲線１１６は正折りされ、折曲線１２２は逆折りされ、保持片１１８の折曲線１１６と折曲線１２２の間の部分が、側面１８と側面２０を連結し、側面１８，２０の間の空間に渡され、側面１８，２０の下方で下端部１８ｃ，２０ｂに沿って組み立てられる。保持片１１８が側面２０から引き起こされる際に、切断線１１２の切り残し部１１４は破断する。
【００５１】
次に、側面１８，２０の間の空間に、上端部１８ａ，上端部２０ａから収容物１１を入れる。収容物１１の底面は、保持片１１８に当接し保持される。
【００５２】
収容物１１を入れた中枠１４は、外箱１２に入れて包装する。傾斜部１８ｅ，２０ｃ，８８，９８，は、外箱１２に挿入する際の逃がしとなり、円滑に入れることができる。
【００５３】
この実施形態の中枠付き包装用箱１０６と中枠１０８によれば、中枠付き包装用箱１０と同様の使用方法であり、同様の効果を有するものである。切断線１１２と折曲線１１６，１２２が側面２０のみに設けられ、構造がシンプルで製造が容易である。弱い力でも折曲線１１６，１２２を折り曲げ、切り残し部１１４を破断して保持片１１８を組み立てることができる。
【００５４】
次に、この発明の第四実施形態について図６、図７に基づいて説明する。なお、ここで、上記実施形態と同様の部材は同様の符号を付して説明を省略する。この実施形態の中枠付き包装用箱１２４は、上記実施形態と同様の外箱１２と、外箱１２の中に入れられて収容物１１を保持する中枠１２６が設けられている。
【００５５】
中枠１２６は、外箱１２と同様に厚紙等の一枚のブランクシートを打ち抜いて形成された中枠形成片１２８を組み立てて形成されている。図６は、中枠形成片１２８を表面から見た展開図であり、側面１８と側面２０が折罫線２２で区切られて設けられている。側面１８の、下端部１８ｃに近い位置には、切断線１３０が設けられている。切断線１３０は、側縁部１８ｄに連通し、下端部１８ｃ対して略平行な直線である。切断線１３０の、折罫線２２側の先端部１３０ａは側面１８の幅の中心をわずかに超えて折罫線２２の近傍に達し、上端部１８ａに向かって小さい直径の半円形状に湾曲する形状となる。切断線１３０の途中には、切り残し部１３１が設けられている。
【００５６】
また、切断線１３０の先端部１３０ａと、上端部１８ａを結ぶ折曲線１３２が設けられ、折曲線１３２は、切断線１３０および上端部１８ａに対して略直角である。折曲線１３２と側縁部１８ｄの間には、折曲線１３２に対して略平行な折曲線１３４，１３６が設けられ、折曲線１３２，１３４，１３６は上端部１８ａと切断線１３０に連通し、互いに等間隔である。上端部１８ａは、折曲線１３２と折曲線１３４の間に、下方に窪む凹部１３３が形成されている。また、側縁部１８ｄは切断線１３０と交差する部分が面取りされて傾斜部１８ｆとなり、外箱１２に挿入する際の逃がしとなる。
【００５７】
切断線１３０と下端部１８ｃの間の部分は、保持片１３８である。保持片１３８は、折罫線２２の方向に側面１８が延びた部分により形成され、下端部１８ｃに沿って長い帯状であり、保持片１３８の、折罫線２２と反対側の先端部１３８ａは、側縁部１８ｄの延長線に達しない長さであり、側縁部１８ｄに対して略平行な直線で形成されている。
【００５８】
側面２０は、ほぼ側面１８と、折罫線２２を挟んで線対称となる形状であり、側面１８と同様に、切断線１３０、切り残し部１３１、折曲線１３２，１３４，１３６、保持片１３８が設けられている。保持片１３８の、折罫線２２と反対側の先端部１３８ａは、側縁部２０ｄの延長線に達しない長さである。傾斜部１８ｅ，１８ｆと同様の傾斜部２０ｅ，２０ｆが設けられている。ただし、上端部２０ａは、上端部１８ａと異なる形状であり、折曲線１３４と折曲線１３６の間に、下方に窪む凹部１３５が形成されている。
【００５９】
次に、中枠１２６の組立方法の一例について説明する。なお、ここでは図６が中枠１２６の中枠形成片１２８の表面を見たものであり、中枠形成片１２８の表面が凸になる折り方を正折り、そして裏面が凸になる折り方を逆折りと称する。
【００６０】
まず、側面２０の、保持片１３８の裏面に糊５４を塗布し、折曲線１３６と側縁部の間の部分に糊５６を塗布する。糊５４は、折罫線２２に沿って長く塗布してもよく、広い面積に塗布してもよい。
【００６１】
この後、折罫線２２を正折りして中枠形成片１２８を二つ折りする。保持片１３８同士は糊５４で糊付けされ、折曲線１３６と側縁部１８ｄの間の部分と折曲線１３６と側縁部２０ｄの間の部分は糊５６で糊付けされる。中枠形成片１２８は、折り畳み状態となり、中枠１２６はこの折り畳み状態で出荷される。
【００６２】
次に、収容物１１を収容し包装する工場等において、側縁部１８ｄ，２０ｄと折罫線２２を近づけるように力を加える。すると、図７（ｂ）に示すように、側面１８，２０は、折曲線１３４が互いに離れるように外側に折り曲げられ、折曲線１３４は正折りされ、折曲線１３２，１３６は逆折りされ、内側に平面視で矩形の空間を作る。この時、二重にかさねられた保持片１３８は、側面１８，２０の間の矩形の空間の対角線を横断する。側面１８，２０が立体的に組み立てられる際に、切断線１３０の切り残し部１３１は破断する。上端部１８ａ，２０ａは、凹部１３３，１３５の位置がずれているため、側面１８，２０を立体的にする際に、指で上端部１８ａ２０ａの凹部１３３，１３５を外側に押し出すようにして、容易に側面１８，２０を離間することができる。
【００６３】
次に、側面１８，２０の間の空間に、上端部１８ａ，２０ａから収容物１１を入れる。収容物１１の底面は、保持片１３８に当接し保持される。
【００６４】
収容物１１を入れた中枠１２６は、外箱１２に入れて包装する。傾斜部１８ｅ，１８ｆ，８８，９８は、外箱１２に挿入する際の逃がしとなり、円滑に入れることができる。外箱１２の内側空間の対角線は、側面１８，２０の、折罫線２２から側縁部１８ｄまたは側縁部２０ｄまでの長さよりも少し短いため、収容物１１により折曲線１３４が互いに離れるように外側に正折りされた状態で入れることが可能であり、対角線上に位置する一対の角部の間に隙間なく収容される。保持片１３８の折罫線２２から先端部１３８ａまでの長さは、対角線とほぼ等しく、撓むことがなく、対角線に沿って位置する。
【００６５】
この実施形態の中枠付き包装用箱１２４と中枠１２６によれば、中枠付き包装用箱１０と同様の使用方法であり、同様の効果を有するものである。小さい収容物１１でも確実に緩衝的に保持することができる。また、上端部１８ａ，２０ａには、凹部１３３，１３５が形成され、組立時に側面１８，２０を離間する操作を容易に行うことができる。
【００６６】
なお、この発明の中枠と中枠付き包装用箱は、上記実施形態に限定されるものではない。中枠の大きさや、保持片の幅や長さ、折曲線の位置や数等は、収容物に合わせて適宜変更可能である。外箱も、各部材の形状や、底蓋片、上蓋片等の構造は、自由に設計することができる。中枠の材料は、厚紙以外に合成樹脂シートで作られてもよい。
【符号の説明】
【００６７】
１０，７４，１０６，１２４  中枠付き包装用箱
１１  収容物
１２  外箱
１４，７６，１０８，１２６  中枠
１６，７８，１１０，１２８  中枠形成片
１８，２０  側面
２２  折罫線
３２  スリット部（切断線）
２８  摘み部
３０  摘み部用折罫線
３４，４０，４８，５０，８２，９０，１００，１０２，１２２，１１６，１３６，１３４，１３２    折曲線
３６，４６，８４，９４，１１８，１３８  保持片
８０，１１２，１３０  切断線
【図１】
2019167134.tif 000003
【図２】
2019167134.tif 000004
【図３】
2019167134.tif 000005
【図４】
2019167134.tif 000006
【図５】
2019167134.tif 000007
【図６】
2019167134.tif 000008
【図７】
2019167134.tif 000009